(57)【要約】【課題】リング状の被保持物も保持することができるとともに、保持力を高めることができる保持具を提供する。【解決手段】基部１０と、基部の一端から延出された第１折曲部２０と、基部の別の一端または第１折曲部から延出された第２折曲部３０とを備える。第１折曲部は、基部の係合凹部１５に係合される第１係合素子２１を有し、第２折曲部は、基部の係合凹部１５に係合される第２係合素子３１を有する。基部および第１折曲部によって被保持物を保持する第１の収納空間２７が形成され、基部および第２折曲部によって被保持物を保持する第２の収納空間３７が形成されている。第２折曲部および第２係合素子の少なくとも一方には、第１係合素子２１が係合解除する方向に移動するのを阻止する移動阻止手段４０が設けられている。【選択図】図１
2008281169.tif 000002
【特許請求の範囲】
【請求項１】
第１被係合素子および第２被係合素子を有する基部１０と、
前記基部１０の一端から延出され、前記基部１０に対して折曲可能な第１折曲部２０と、
前記基部１０の別の一端または前記第１折曲部２０から延出され、前記基部１０に対して折曲可能な第２折曲部３０とを備え、
前記第１折曲部２０は、前記基部１０の第１被係合素子１５に係合される第１係合素子２１を有し、
前記第２折曲部３０は、前記基部１０の第２被係合素子１５に係合される第２係合素子３１を有し、
前記第１係合素子２１が前記第１被係合素子１５に係合されたときに、前記基部１０および前記第１折曲部２０によって被保持物を保持する第１の収納空間２７が形成され、
前記第２係合素子３１が前記第２被係合素子１５に係合されたときに、前記基部１０および前記第２折曲部３０によって被保持物を保持する第２の収納空間３７が形成され、
前記第２折曲部３０および前記第２係合素子３１の少なくとも一方は、前記第１係合素子２１が係合解除する方向に移動するのを阻止する移動阻止手段を有していることを特徴とする保持具。
【請求項２】
前記移動阻止手段４０は、前記第１折曲部２０に設けられた第３被係合素子４４と、前記第２折曲部３０に設けられ前記第３被係合素子４４に係合される第３係合素子４１とを有し、
前記第３被係合素子４４および前記第３係合素子４１のいずれか一方は、凸部４２によって形成され、他方は、前記凸部４２に係合される凹部４５によって形成され、
前記凸部４２および凹部４５は、前記第１係合素子２１が係合解除する方向において隣接して配置されていることを特徴とする請求項１に記載の保持具。
【請求項３】
前記基部１０には開口１３が形成され、この開口１３の奥部に係合凹部１５が形成され、
前記第１被係合素子および前記第２被係合素子は、前記係合凹部１５によって形成され、
前記第１係合素子２１は、前記第１折曲部２０の先端に突出された第１軸部２２と、この第１軸部２２の先端に第１軸部２２の突出する方向に対して交差する方向に延出され前記係合凹部１５に係合する第１係合片２３とを含み形成され、
前記第２係合素子３１は、前記第２折曲部３０の先端に突出された第２軸部３２と、この第２軸部３２の先端に第２軸部３２の突出する方向に対して交差する方向に延出され前記係合凹部１５に係合する第２係合片３３とを含み形成されていることを特徴とする請求項２に記載の保持具。
【請求項４】
前記第１係合片２３および前記第２係合片３３の少なくとも１つは、異なる２以上の方向へ延出する延出部２４，２５，３４，３５を有していることを特徴とする請求項３に記載の保持具。
【請求項５】
前記第１係合片２３は、前記第２係合片３３の延出方向に対して交差する方向へ延出する延出部２４，２５を有していることを特徴とする請求項４に記載の保持具。
【請求項６】
前記第１係合素子２１および前記第２係合素子３１が前記第１被係合素子および前記第２被係合素子にそれぞれ係合されたとき、前記第１係合素子２１および前記第２係合素子３１は、互いに隣接して形成され、
前記第１係合素子２１は、前記第１折曲部２０が弾性変形することで前記第１被係合素子に係合され、
前記第２係合素子３１は、前記第２係合片３３が弾性変形することで前記第２被係合素子に係合されることを特徴とする請求項３〜請求項５のいずれかに記載の保持具。
【請求項７】
前記第１係合素子２１および前記第２係合素子３１は、前記第１の収納空間２７および前記第２の収納空間３７のうち少なくとも一方の収納空間の中心軸方向に隣接して形成されていることを特徴とする請求項６に記載の保持具。
【請求項８】
前記第１係合素子２１および前記第２係合素子３１同士が対向する面に前記第３係合素子４１および第３被係合素子４４が形成されていることを特徴とする請求項６または請求項７に記載の保持具。
【請求項９】
前記第２折曲部３０は、前記基部１０の別の一端から延出され、
前記第１折曲部２０および前記第２折曲部３０は、互いに内側に傾斜された状態で成形され、かつ、前記第２折曲部３０よりも前記第１折曲部２０の方が、内側に傾斜された状態で成形されていることを特徴とする請求項１〜請求項８のいずれかに記載の保持具。
【請求項１０】
前記第１係合素子２１および前記第２係合素子３１は、前記第１折曲部２０および前記第２折曲部３０のそれぞれ先端から前記基部１０へ向けて延出して形成されていることを特徴とする請求項９に記載の保持具。
【発明の詳細な説明】
【技術分野】
【０００１】
本発明は、保持具に関する。たとえば、紐などの長尺物を保持する保持具に関する。
【背景技術】
【０００２】
装飾品として、複数の紐などの長尺物を並列して保持する保持具をもった腕輪や首輪などが知られている。
従来、この種の装飾品に用いられる保持具として、たとえば、図２１に示すように、断面が長円の短柱状材に２つの孔を貫通して設けた保持具６が知られている。保持具６の孔に、有端状の２本の紐７をそれぞれ挿通したのち、各紐７の両端同士をそれぞれ縫製、接着あるいは固着することにより、紐を並列して保持しつつリング状に製造することができる。
【０００３】
また、長尺な棒状物を保持固定する留め具として、たとえば、特許文献１に開示された棒状物留め具が知られている。
この棒状物留め具は、取付面に突設されたスタッドボルトに装着され、取付面に沿って棒状物を保持するもので、プラスチック製の本体と、金属製の保持板とから構成されている。本体には、棒状物を保持する保持部と、棒状物の軸方向と略直交する方向に穿設され内壁に係止段部を有するスタッド装着穴とが設けられている。保持板は、本体の外周部に帯状に巻装され、両端がスタッド装着穴に挿入可能に構成されている。スタッド装着穴に挿入可能な保持板の両端部には、係止段部に係止される第１の係止爪と、スタッド装着穴に挿入されるスタッドボルトのネジ部に逆止的に係止する第２の係止爪とが設けられている。
【０００４】
棒状物を保持部に挿入したのち、保持板の両端部をスタッド装着穴に挿入すると、第１の係止爪がスタッド装着穴の係止段部に係止される。この状態において、スタッドボルトに対して留め具のスタッド装着穴をあてがい、留め具をスタッドボルトに押し込むと、第２の係止爪がスタッドボルトのネジ部（ねじ山）に係止され、抜け止めされる。これにより、棒状物を取付面に平行に保持することができる。
【０００５】
【特許文献１】実公平４−１６００７号公報
【発明の開示】
【発明が解決しようとする課題】
【０００６】
しかし、図２１に示す保持具では、必ず、紐の端部処理前に、紐に保持具を挿通させておく必要があるので、予め無端のリング状の紐に対しては、保持具を取り付けることができない。
【０００７】
また、特許文献１に開示された留め具では、保持板の両端部をスタッド装着穴に挿入しただけでは、第１の係止爪がスタッド装着穴の係止段部に係止されるだけであるから、係止力が弱い。係止力を高めるためには、スタッド装着穴にスタッドボルトを差し込まなくてはならないから、新たな部品が必要となり、部品点数の増加につながる。
【０００８】
本発明の目的は、このような課題を解決し、無端のリング状の被保持物も保持することができるとともに、保持力を高めることができる保持具を提供することにある。
【課題を解決するための手段】
【０００９】
本発明の保持具は、第１被係合素子および第２被係合素子を有する基部と、前記基部の一端から延出され、前記基部に対して折曲可能な第１折曲部と、前記基部の別の一端または前記第１折曲部から延出され、前記基部に対して折曲可能な第２折曲部とを備え、前記第１折曲部は、前記基部の第１被係合素子に係合される第１係合素子を有し、前記第２折曲部は、前記基部の第２被係合素子に係合される第２係合素子を有し、前記第１係合素子が前記第１被係合素子に係合されたときに、前記基部および前記第１折曲部によって被保持物を保持する第１の収納空間が形成され、前記第２係合素子が前記第２被係合素子に係合されたときに、前記基部および前記第２折曲部によって被保持物を保持する第２の収納空間が形成され、前記第２折曲部および前記第２係合素子の少なくとも一方は、前記第１係合素子が係合解除する方向に移動するのを阻止する移動阻止手段を有していることを特徴とする。
【００１０】
この構成によれば、第１折曲部および第２折曲部の内側に被保持物を配置したのち、まず、第１折曲部を基部に対して折曲して、第１折曲部に設けられた第１係合素子を基部の第１被係合素子に係合させる。すると、基部および第１折曲部によって第１の収納空間が形成されるから、この第１の収納空間によって被保持物が保持される。
続いて、第２折曲部を基部に対して折曲して、第２折曲部に設けられた第２係合素子を基部の第２被係合素子に係合させる。すると、基部および第２折曲部によって第２の収納空間が形成されるから、この第２の収納空間によって被保持物が保持される。
従って、無端のリング状の被保持物でも保持することができる。
【００１１】
また、第２折曲部および第２係合素子の少なくとも一方は、第１係合素子が係合解除する方向に移動するのを阻止する移動阻止手段を有しているから、各係合素子が外れにくく、そのため、保持力を高めることができる。
例えば、被保持物を介して、第１係合素子が係合解除される方向の外力が第１折曲部に掛かると、その外力は、第１折曲部に設けられた第１係合素子と基部に設けられた第１被係合素子との係合部分に加わる同時に、移動阻止手段を介して、第２折曲部に設けられた第２係合素子と基部に設けられた第２被係合素子との係合部分にも加わる。つまり、外力は、第１係合素子と第２係合素子とで分散して受けることができるから、外力が加わっても、第１係合素子と第２係合素子とがそれぞれ協働して保持しようとする力が働くため、これらの係合素子が外れにくい。従って、保持力を高めることができる。
【００１２】
本発明の保持具において、前記移動阻止手段は、前記第１折曲部に設けられた第３被係合素子と、前記第２折曲部に設けられ前記第３被係合素子に係合される第３係合素子とを有し、前記第３被係合素子および前記第３係合素子のいずれか一方は、凸部によって形成され、他方は、前記凸部に係合される凹部によって形成され、前記凸部および凹部は、前記第１係合素子２１が係合解除する方向において隣接して配置されていることが好ましい。
この構成によれば、移動阻止手段が、第１折曲部に設けられた凹部または凸部と、第２折曲部に設けられた凸部または凹部とから構成されているから、例えば、被保持物を介して第１折曲部に加えられる外力によって、第１係合素子が係合解除される方向へ第１折曲部が移動しようとすると、第１折曲部に設けられた凹部または凸部が第２折曲部に設けられた凸部または凹部に当接して移動が規制される。このとき、凸部および凹部が、第１係合素子が係合解除される方向において、隣接した配置されているから、凹部と凸部とが当接しても、第１折曲部に捩れ力が生じることがないので、外力を凸部および凹部を介して第２折曲部へ確実に分散させることができる。
【００１３】
本発明の保持具は、前記基部には開口が形成され、この開口の奥部に係合凹部が形成され、前記第１被係合素子および前記第２被係合素子は、前記係合凹部によって形成され、前記第１係合素子は、前記第１折曲部の先端に突出された第１軸部と、この第１軸部の先端に第１軸部の突出する方向に対して交差する方向に延出され前記係合凹部に係合する第１係合片とを含み形成され、前記第２係合素子は、前記第２折曲部の先端に突出された第２軸部と、この第２軸部の先端に第２軸部の突出する方向に対して交差する方向に延出され前記係合凹部に係合する第２係合片とを含み形成されていることが好ましい。
この構成によれば、第１，２被係合素子が基部に設けられた係合凹部によって形成され、また、第１，第２係合素子が、第１，第２折曲部の先端にそれぞれ突出された第１，第２軸部と、この第１，第２軸部のそれぞれ先端に各軸部が突出する方向に対して交差する方向に延出された第１，第２係合片とを含み形成されているから、第１，第２折曲部を基部に対して折曲すると、第１，第２係合片が係合凹部に係合されるから、これらの係合操作を簡単に行うことができる。しかも、係合した状態においては、各軸部が突出する方向に対して交差する方向に延出された各係合片が係合凹部に係合する構造であるから、外れにくい。
【００１４】
本発明の保持具は、前記第１係合片および前記第２係合片の少なくとも１つは、異なる２以上の方向へ延出する延出部を有していることが好ましい。
この構成によれば、第１係合片および第２係合片の少なくとも１つは、異なる２以上の方向へ延出する延出部を有しており、異なる２以上の方向で係合されているから、様々な方向の外力が加わっても、係合が解除される虞が少ない。従って、被保持物を確実に保持できる。
【００１５】
本発明の保持具は、前記第１係合片は、前記第２係合片の延出方向に対して交差する方向へ延出する延出部を有していることが好ましい。
この構成によれば、第１係合片は、第２係合片の延出方向に対して異なる方向、すなわち、交差する方向へ延出する延出部を有しているから、上記と同様に、様々な方向の外力が加わっても、係合が解除される虞が少ない。とくに、この構成によれば、第１係合片と第２係合片とで、加わる外力の方向を分担できるので、第１係合片と第２係合片をそれぞれ要求される機能を満たす形状、構造に構成でき、設計の自由度を高めることができる。
【００１６】
本発明の保持具は、前記第１係合素子および前記第２係合素子が前記第１被係合素子および前記第２被係合素子にそれぞれ係合されたとき、前記第１係合素子および前記第２係合素子は、互いに隣接して形成され、前記第１係合素子は、前記第１折曲部が弾性変形することで前記第１被係合素子に係合され、前記第２係合素子は、前記第２係合片が弾性変形することで前記第２被係合素子に係合されることが好ましい。
この構成によれば、第１係合素子は、第１折曲部が弾性変形することで第１被係合素子に係合されるため、第１係合片を弾性変形しない厚さに形成することにより、容易に抜けない構造にできる。しかし、第１折曲部が弾性変形するため、抜けてしまう虞がある。
第２係合素子は、第２係合片が弾性変形することで第２被係合素子に係合され、係合した状態では、第１係合素子に隣接しているので、第１係合素子が解除される方向に第１折曲部が弾性変形するのを防止できる。従って、この構成によっても、保持力を高めることができる。
【００１７】
本発明の保持具は、前記第１係合素子および前記第２係合素子は、前記第１の収納空間および前記第２の収納空間のうち少なくとも一方の収納空間の中心軸方向に隣接して形成されていることが好ましい。
この構成によれば、第１係合素子および第２係合素子が、収納空間の中心軸方向に隣接して形成されているから、第２係合素子が第１係合素子の移動阻止手段として好適に機能する。また、保持具の形態をコンパクトにできる。
【００１８】
本発明の保持具は、前記第１係合素子および前記第２係合素子同士が対向する面に前記第３係合素子および第３被係合素子が形成されていることが好ましい。
この構成によれば、第１係合素子および第２係合素子同士が対向する面に第３係合素子および第３被係合素子が形成されているから、つまり、係合部分が一箇所に集中配置されているから、係合操作を一箇所で行うことができるとともに、構成もコンパクト化できる。また、係合する部分が分散していないから、各部のがたつきも少なくでき、全体の強度も高めることができる。
【００１９】
本発明の保持具は、前記第２折曲部は、前記基部の別の一端から延出され、前記第１折曲部および前記第２折曲部は、互いに内側に傾斜された状態で成形され、かつ、前記第２折曲部よりも前記第１折曲部の方が、内側に傾斜された状態で成形されていることが好ましい。
この構成によれば、第１折曲部および第２折曲部は、互いに内側に傾斜された状態で成形されているから、第１折曲部および第２折曲部を基部に対して折曲する操作、つまり、係合操作を容易にできる。しかも、第２折曲部よりも第１折曲部の方が、内側に傾斜された状態で成形されているから、最初に、第１折曲部を折曲操作したのち、第２折曲部を折曲操作できる。つまり、組立順序を間違えることなく、組立操作できる。
【００２０】
本発明の保持具は、前記第１係合素子および前記第２係合素子は、前記第１折曲部および前記第２折曲部のそれぞれ先端から前記基部へ向けて延出して形成されていることが好ましい。
この構成によれば、第１係合素子および第２係合素子は、第１折曲部および第２折曲部のそれぞれ先端から基部へ向けて延出して形成されているから、第１折曲部および第２折曲部を基部に対して折曲操作するだけで、第１係合素子および第２係合素子を基部の第１被係合素子および第２被係合素子に係合させることができる。従って、係合操作を極めて簡単に行うことができる。
【発明を実施するための最良の形態】
【００２１】
以下、本発明の実施形態を図面を参照して説明する。
＜実施形態の構成＞
図１〜図８に本実施形態の保持具を示す。図１は同保持具の係合前の状態を示す斜視図、図２は同保持具の係合後の状態を示す斜視図、図３は同保持具の係合前の状態を示す平面図、図４は図３の状態から片方の折曲部（第１折曲部）を係合させた状態の図、図５は図４のV-V線断面図、図６は同保持具の係合状態を示す部分断面図、図７は同保持具の中央縦断面図、図８は図５のVIII−VIII線断面図である。
【００２２】
（全体構成の説明）
図１〜図３に示すように、本実施形態の保持具１は、被保持物としての２本の紐７を平行にして保持するもので、基部１０と、基部１０の一端（図１中右端）から延出され基部１０に対して折曲可能な第１折曲部２０と、基部１０の他端（図１中左端）から延出され基部１０に対して折曲可能な第２折曲部３０とを備える。なお、これら基部１０、第１折曲部２０および第２折曲部３０は、合成樹脂材料の射出成形、あるいは、射出圧縮成形により一体的に成形されている。
【００２３】
図２に示すように、基部１０に対して、第１折曲部２０および第２折曲部３０が係合された状態では、平面から見た輪郭形状が長円の短柱状に成形されている。
図３に示すように、基部１０に対して、第１折曲部２０および第２折曲部３０が係合されていない状態では、第１折曲部２０および第２折曲部３０は、互いに内側に傾斜された状態で成形され、かつ、第２折曲部３０よりも第１折曲部２０の方が、内側に傾斜された状態で成形されている。
【００２４】
（基部の説明）
基部１０は、上下方向寸法（高さ寸法）が幅方向寸法および奥行き方向寸法に対して大きい略直方体形状（正面から見て、縦長矩形状）に成形されている。
基部１０の正面には、幅方向中央に幅寸法が基部１０の正面幅寸法に対して約１／２程度の溝部１１が上下方向下部位置から上面に開口して形成されているとともに、両側にガイド爪１２が外側へ向かって円弧状に一体的に突出成形されている。正面に形成された溝部１１の内底面には、縦長矩形の開口１３が形成され、この開口１３の奥部に穴部１４が形成されている。穴部１４は、幅寸法が開口１３の幅寸法より大きく、基部１０の上面に開口されている。このため、開口１３を形成する枠体のうち、穴部１４側に面する側には、開口１３の上縁および左右縁に沿って、第１被係合素子および第２被係合素子としての係合凹部１５が形成されている。すなわち、本実施形態においては、開口１３を形成する枠体が矩形であるため、上下左右の４方向に延びた係合凹部１５を有する。
【００２５】
（第１折曲部の説明）
第１折曲部２０は、厚み寸法が略一様で、かつ、上下方向寸法が基部１０の上下方向寸法と略同じ寸法を有する帯状に成形され、基部１０の側面から一体的に成形されているとともに、少なくとも一部が弾性変形可能に構成されている。これにより、第１折曲部２０は、基部１０に対して折曲可能に形成されている。具体的には、図１や図３に見られるように、基部１０の右側面から右外方へ向かうに従って次第に厚みが薄くなるように延出され、以後同じ厚みで、正面側へ向かって円弧状に屈曲されたのち、基部１０の正面中央に向かって斜めに傾斜された形状に成形されている。
【００２６】
第１折曲部２０の先端部分において、上下方向下半分が切り欠かれたように形成され、上半分の部分には、基部１０の係合凹部１５（第１被係合素子）に係合される第１係合素子２１が基部１０へ向けて延出して一体的に成形されている。
第１係合素子２１は、第１折曲部２０の先端部内面に第１折曲部２０の先端側に対して略直角に突出された第１軸部２２と、この第１軸部２２の先端に第１軸部２２の断面形状より外側、つまり、第１軸部２２の突出する方向に対して交差する方向に延出され基部１０の係合凹部１５に係合する第１係合片２３とを含み形成されている。第１軸部２２は、断面矩形状に形成されている。第１係合片２３は、第１軸部２２の上面より上方へ延出する第１延出部２４と、この第１延出部２４が延出する方向とは異なる方向、すなわち、第１軸部２２の側面より側方へ延出する第２延出部２５とを有している。つまり、第１係合片２３は、異なる２以上の方向へ延出された第１延出部２４および第２延出部２５を有している。
【００２７】
これらの第１延出部２４および第２延出部２５は、第１軸部２２に対して弾性変形しない厚みに形成されている。また、第１延出部２４および第２延出部２５を有する第１係合片２３の先端面２６は、平面から見た形状が略半円状（図３，４参照）で、かつ、上下方向中間位置から上面に向かうに従って第１軸部２２側へ傾斜する傾斜面（図５参照）に形成されている。そのため、第１係合素子２１が基部１０の開口１３へ押し込まれると、第１係合片２３の先端面２６が開口１３の上縁および側縁に当接し、この先端面２６によって第１係合素子２１が下方および中央へ変位、つまり、第１折曲部２０が下方および中央へ弾性変形される。この後、第１延出部２４および第２延出部２５が開口１３を形成する枠体を越えると同時に、下方へ弾性変形された第１折曲部２０が元の位置（上方位置）へ復帰されるので、第１係合片２３の第１延出部２４および第２延出部２５が係合凹部１５（第１被係合素子）に係合される。第１係合片２３の第１延出部２４および第２延出部２５が係合凹部１５（第１被係合素子）に係合されると、基部１０の側面、ガイド爪１２および第１折曲部２０の内周面によって略円状の第１の収納空間２７が形成され、この第１の収納空間２７によって紐７が保持される。
【００２８】
（第２折曲部の説明）
第２折曲部３０は、厚み寸法が略一様で、かつ、上下方向寸法が基部１０の上下方向寸法と略同じ寸法を有する帯状に成形され、基部１０の側面から一体的に成形されているとともに、少なくとも一部が弾性変形可能に構成されている。これにより、第２折曲部３０も、基部１０に対して折曲可能に形成されている。具体的には、図１や図３に見られるように、基部１０の左側面から左外方へ向かうに従って次第に厚みが薄くなるように延出され、以後同じ厚みで、正面側へ向かって円弧状に屈曲されたのち、基部１０の正面中央に向かって斜めに傾斜された形状に成形されている。
【００２９】
第２折曲部３０の先端部分において、上下方向上半分が切り欠かれたように形成され、下半分の部分には、基部１０の係合凹部１５（第２被係合素子）に係合される第２係合素子３１が基部１０へ向けて延出して一体的に成形されている。
第２係合素子３１は、第２折曲部３０の先端内面に第２折曲部３０の先端側に対して略直角に突出された第２軸部３２と、この第２軸部３２の先端に第２軸部３２の先端断面形状より外側、つまり、第２軸部３２の突出する方向に対して交差する方向に延出され基部１０の係合凹部１５に係合する第２係合片３３とを含み形成されている。第２軸部３２は、断面矩形状に形成され、先端側が更に小さい断面矩形状に形成されている。第２係合片３３は、第２軸部３２の両側面より左右方向へ延出する鏃状の２つの延出部３４，３５を有している。従って、第１係合片２３から見ると、第１係合片２３は、第２係合片３３の延出部３４，３５の延出方向に対して交差する方向、つまり、第１軸部２２の上面側へ延出する延出部２４を有している。
【００３０】
これらの延出部３４，３５は、第２軸部３２に対して弾性変形できる厚みに形成されている。そのため、第２係合素子３１が基部１０の開口１３へ押し込まれると、延出部３４，３５が開口１３の左右縁に当接して弾性変形された後、延出部３４，３５が開口１３を形成する枠体を越えると同時に、弾性変形した延出部３４，３５が元の形状に復帰（図６参照）するので、第２係合片３３の延出部３４，３５は係合凹部１５（第２被係合素子）に係合される。第２係合素子３１が係合凹部１５（第２被係合素子）に係合されると、基部１０の側面、ガイド爪１２および第２折曲部３０の内周面によって略円状の第２の収納空間３７が形成され、この第２の収納空間３７によって紐７が保持される。
【００３１】
第１係合素子２１および第２係合素子３１が基部１０の係合凹部１５（第１被係合素子および第２被係合素子）にそれぞれ係合されたとき、第１係合素子２１および第２係合素子２１は、互いに隣接されるように形成されている（図７参照）。つまり、第１係合素子２１および第２係合素子３１は、第１の収納空間２７および第２の収納空間３７のうち少なくとも一方の収納空間の中心軸方向（上下方向）に隣接して（略接して）形成されている。
【００３２】
（移動阻止手段の説明）
第２折曲部２０および第２係合素子２１の少なくとも一方には、本実施形態では、第２折曲部２０の先端部分には、第１係合素子２１が係合解除する方向に移動するのを阻止する移動阻止手段４０が設けられている。
移動阻止手段４０は、第１折曲部２０に設けられた第３被係合素子４４と、第２折曲部３０に設けられ第３被係合素子４４に係合される第３係合素子４１とから構成され、これらは、第１係合素子２１および第２係合素子３１同士が対向する面に設けられている。
第３係合素子４１は、第２係合素子３１の第２軸部３２の軸方向に沿って突出する凸部４２によって形成されている。凸部４２の先端には、側方に鉤状に突出する鉤部４３を有する。
第３被係合素子４４は、第３係合素子４１の凸部４２に係合される凹部４５によって形成され、かつ、第１係合素子２１が係合解除される方向において第１係合素子２１と第３係合素子４１との間に位置されている。凹部４５は、凸部４２の鉤部４３に係合する鉤溝４６を有する。
【００３３】
＜実施形態の作用・効果＞
このような構成において、第１折曲部２０および第２折曲部３０の内側に紐７を配置したのち、第１折曲部２０および第２折曲部３０を折曲させて、基部１０に係合させる。
このとき、第１折曲部２０および第２折曲部３０は、合成樹脂製で弾性変形可能で、しかも、互いに内側に傾斜された状態で成形されているから、第１折曲部２０および第２折曲部３０を基部１０に対して折曲しやすい。これに加えて、第２折曲部３０よりも第１折曲部２０の方が、内側に傾斜された状態で成形されているから、最初に、第１折曲部２０を折曲操作したのち、第２折曲部３０を折曲操作できる。つまり、本実施形態のような組立順序があるものの場合には、組立順序を間違えることなく、組立操作できる。
【００３４】
まず、第１折曲部２０を基部１０に対して弾性変形させて、第１折曲部２０に設けられた第１係合素子２１を基部１０の開口１３を通して係合凹部１５に係合させる。このとき、第１係合素子２１は、第１折曲部２０の先端から基部１０へ向けて延出して形成されているから、第１折曲部２０を基部１０に対して弾性変形させるだけでよい。
第１係合素子２１の第１係合片２３が基部１０の開口１３へ押し込まれると、第１係合片２３の先端面２６が開口１３の上縁および側縁に当接し、この先端面２６によって第１係合素子２１が下方および中央位置へ変位される。つまり、第１折曲部２０が下方および中央へ弾性変形されるので、第１係合片２３は開口１３を通って係合凹部１５（第１被係合素子）に係合される。
【００３５】
第１係合片２３が係合凹部１５（第１被係合素子）に係合されると、基部１０の側面、ガイド爪１２および第１折曲部２０の内周面によって略円状の第１の収納空間２７が形成されるから、この第１の収納空間２７によって紐７が保持される。
このとき、第１係合片２３は弾性変形しない厚みに形成されているから、第１係合片２３の弾性変形によって第１係合片２３が係合凹部１５から外れることは少ない。
【００３６】
次に、第２折曲部３０を基部１０に対して弾性変形させて、第２折曲部３０に設けられた第２係合素子３１を基部１０の開口１３を通して係合凹部１５に係合させる。このとき、第２係合素子３１は、第２折曲部３０の先端から基部１０へ向けて延出して形成されているから、第２折曲部３０を基部１０に対して折曲させ、中央方向に弾性変形させるだけでよい。
第２係合素子３１の第２係合片３３が基部１０の開口１３へ押し込まれると、第２係合片３３を構成する延出部３４，３５が開口１３の左右縁に当接して弾性変形されるので、第２係合片３３は開口１３を通って係合凹部１５（第２被係合素子）に係合される。
【００３７】
第２係合片３３が係合凹部１５（第２被係合素子）に係合されると、基部１０の側面、ガイド爪１２および第２折曲部３０の内周面によって略円状の第２の収納空間３７が形成されるから、この第２の収納空間３７によって紐７が保持される。このようにして、無端のリング状の紐でも保持することができる。
このとき、第２係合素子３１は、第１係合素子２１と上下方向において接触可能なように隣接しているので、第１係合素子２１が解除される方向に第１折曲部２０が弾性変形するのを防止する移動阻止手段として働く。
【００３８】
つまり、第１係合素子２１および第２係合素子３１が基部１０の係合凹部１５に係合した状態では、第２係合素子３１が第１係合素子２１に隣接して接しているので、第１係合素子２１が解除される方向に第１折曲部２０が弾性変形するのが防止される。従って、第２係合素子３１は、第１係合素子２１が解除される方向に第１折曲部２０が弾性変形するのを防止する移動阻止手段として働く。
【００３９】
このようにして、第１係合素子２１および第２係合素子３１が基部１０の係合凹部１５に係合された状態においては、第１係合素子２１の第１係合片２３は弾性変形しない厚さに形成されているため、容易に抜けない。また、第１係合片２３の第１延出部２４および第２延出部２５は上方および側方、また、第２係合片３３の延出部３４，３５は左右方向へ延出されている。つまり、第１係合片２３の第１延出部２４および第２延出部２５は、異なる２つの方向で係合凹部１５に係合され、かつ、第２係合片３３の延出部３４，３５とも異なる方向で基部１０の係合凹部１５に係合されているから、様々な方向の外力が加わっても、係合が解除される虞が少なく、そのため、紐７を確実に保持できる。
とくに、このような構成によれば、第１係合片２３と第２係合片３３とで、加わる外力の方向を分担できるので、第１係合片２３と第２係合片３３とをそれぞれ要求される機能を満たす形状、構造に構成でき、設計の自由度を高めることができる。
【００４０】
これに加えて、本実施形態においては、第１係合素子２１の移動阻止手段としても働く第２係合素子３１とは別に、第２折曲部３０には、第１係合素子２１が係合解除する方向に移動するのを阻止する移動阻止手段４０が設けられているから、各係合素子２１，３１が外れにくく、そのため、保持力も高めることができる。
例えば、紐７を介して、第１係合素子２１が係合解除される方向の外力が第１折曲部２０に掛かると、その外力は、第１折曲部２０に設けられた第１係合素子２１と基部１０に設けられた係合凹部１５との係合部分に加わる同時に、移動阻止手段４０を介して、第２折曲部３０に設けられた第２係合素子３１と基部１０に設けられた係合凹部１５との係合部分にも加わる。つまり、外力は、第１係合素子２１と第２係合素子３１とで分散して受けることができるから、外力が加わっても、第１係合素子２１と第２係合素子３１とがそれぞれ協働して保持しようとする力が働くため、これらの係合素子が外れにくい。従って、保持力を高めることができる。
【００４１】
また、移動阻止手段４０は、第１折曲部２０に設けられた凹部４５と、第２折曲部３０に設けられた凸部４２とから構成されているから、例えば、紐７を介して第１折曲部２０に加えられる外力によって、第１係合素子２１が係合解除される方向へ第１折曲部２０が移動しようとすると、第１折曲部２０に設けられた凹部４５が第２折曲部３０に設けられた凸部４２に当接して移動が規制される。このとき、凹部４５が、第１係合素子２１が係合解除される方向において、第１係合素子２１と凸部４２との間に位置されているから、凹部４５が第２折曲部３０に設けられた凸部４２に当接しても、第１折曲部２０に捩れ力が生じることがなく、外力を凸部４２を介して第２折曲部３０へ分散させることができる。
【００４２】
また、第１係合素子２１および第２係合素子３１が、第１、第２の収納空間２７，３７の中心軸方向に隣接した位置に形成され、この第１係合素子２１および第２係合素子３１同士が対向する面に、第３係合素子４１および第３被係合素子４４が形成されているから、つまり、係合部分が一箇所に集中配置されているから、係合操作を一箇所で行うことができるとともに、構成もコンパクト化できる。また、係合する部分が分散していないから、各部のがたつきも少なくでき、全体の強度も高めることができる。
【００４３】
＜変形例＞
本発明は、上記実施形態で説明した構造の保持具１に限定されるものでなく、次のような変形例も含む。なお、変形例の説明にあたって、上記実施形態と同一構成要件については、同一符号を付し、その説明を省略もしくは簡略化する。
【００４４】
（変形例１）
図９〜図１６に変形例１の保持具２を示す。図９は保持具２の係合前の状態を示す平面図、図１０は図９のX-X線断面図、図１１は図９のXI-XI線断面図、図１２は図９のXII-XII線断面図、図１３は保持具２の片方の折曲部（第１折曲部）を係合した状態を示す図、図１４は図１３のXIV-XIV線断面図、図１５は保持具２の係合後の状態を示す部分断面図、図１６は図１５のXVI-XVI線断面図である。
【００４５】
変形例１に係る保持具２は、第２折曲部３０が第１折曲部２０の先端から延設されている点が上記実施形態の保持具１とは異なる。これに関連して、基部１０、第１係合素子２１および第２係合素子３１、第３係合素子４１も部分的に異なる。
第１折曲部２０には、上記実施形態の基部１０に相当する被係合部１６が設けられており、基部としての被係合部１６は、第１折曲部２０の内端から突出して設けられている。被係合部１６の突出端面には、穴部１４に連通する開口１３Ａが形成されているとともに、背面にも穴部１４に連通する開口１３Ｂが形成されている。開口１３Ａは、幅寸法が穴部１４の幅寸法より広く形成されている。これにより開口１３Ａの内底面には、開口１３Ａの外周縁に沿って第２被係合素子としての係合凹部１５Ｂ（図１０参照）が形成され、穴部１４の上面側に第１被係合素子としての係合凹部１５Ａが形成されている。
【００４６】
第１係合素子２１は、第１折曲部２０と第２折曲部３０との中間位置から突出された第１軸部２２と、この第１軸部２２の先端に第１軸部２２の突出する方向に対して交差する方向に延出された延出部２４を有する第１係合片２３とから構成されている。第１軸部２２の下面には、第３被係合素子４４が形成されている。第３被係合素子４４は、第１軸部２２の下面に沿って形成された溝条４４Ａと、この溝条４４Ａの先端に形成された係止溝部４４Ｂとから構成されている。
第２係合素子３１は、第２折曲部３０の先端から突出された第２軸部３２と、この第２軸部３２の先端に第２軸部３２の突出する方向に対して交差する方向に延出された２つの延出部３４，３５を有する第２係合片３３とから構成されている。
第３係合素子４１は、第２折曲部３０および第２軸部３２の上面に第２軸部３２の軸方向に沿って突出された凸条４１Ａと、この凸条４１Ａの先端に鉤状に突出された係止突起４１Ｂとから構成されている。
【００４７】
このような構成において、図１３および図１４に示すように、まず、第１折曲部２０を弾性変形させて、第１係合素子２１の第１係合片２３を被係合部１６の係合凹部１５Ａ（第１被係合素子）に係合させる。
続いて、図１５および図１６に示すように、第２折曲部３０を弾性変形させて、第２係合素子３１の第２係合片３３を被係合部１６の係合凹部１５Ｂ（第２被係合素子）に係合させる。すると、第３係合素子４１の凸条４１Ａおよび係止突起４１Ｂが第３被係合素子４４の溝条４４Ａおよび係止溝部４４Ｂに隙間なく係合される。従って、係合状態においては、がたつきが少ない状態に組み立てることができる。
【００４８】
（変形例２）
図１７に変形例２の保持具３を示す。図１７は保持具３の係合前の状態を示す平面図である。
変形例２に係る保持具３は、第１係合素子２１および第２係合素子３１を同じ形状としたものである。つまり、上記実施形態で説明した第２係合素子３１を、変形例２の第１係合素子２１および第２係合素子３１に利用した点が、上記実施形態と異なる。
また、第１の収納空間２７および第２の収納空間３７の内周面には、収納空間内部に向かって突出する三角形状の突起５１が一定間隔毎に形成されている。上記実施形態では、紐７の長手方向の移動を規制していなかったが、このようにすれば、紐７をより強固に保持できる。
【００４９】
（変形例３）
図１８に変形例３の保持具４を示す。図１８は保持具４の係合前の状態を示す平面図である。
変形例３に係る保持具４は、保持具４の基部１０に係止具６１が設けられている。係止具６１は、基部１０の背面に一体的に設けられた当接部材６２と、この当接部材６２の中央から突設された支柱６３と、この支柱６３の先端に当接部材６２に対して所定の隙間を隔てて延びる弾性片６４とから構成されている。
係止具６１の当接部材６２と弾性片６４とで、車の車体などの被固定物６５に保持具４を係止した状態にすれば、コード８などの被保持物を車体の面に沿って保持することができる。
【００５０】
（変形例４）
図１９および図２０に変形例４の保持具５を示す。図１９は保持具５を示す側面図、図２０は図１９のXX-XX線断面図である。
変形例４に係る保持具５は、第１折曲部２０および第２折曲部３０が、基部１０から互いに直交した状態で湾曲され、先端に設けられた第１係合素子２１および第２係合素子３１が基部１０の同じ面に係合される。
このような構成によれば、第１折曲部２０および第２折曲部３０によって、１本の紐７などの被保持物を屈曲させた状態で保持することができる。
【００５１】
（他の変形例）
上記実施形態および各変形例では、基部１０、第１折曲部２０および第２折曲部３０を合成樹脂材料により一体的に成形したが、これに限られない。たとえば、金属材料などによって一体成形してもよい。
また、第１折曲部２０および第２折曲部３０は、弾性変形することによって、基部１０に対して折曲可能に構成されていたが、たとえば、基部１０にヒンジを介して、折曲可能に構成してもよい。
【００５２】
上記実施形態では、第２係合素子３１自体が第１係合素子２１の移動阻止手段として機能し、これに加えて、第２折曲部３０の先端に設けた第３係合素子４１と第１折曲部２０の先端に設けた第３被係合素子４４とから移動阻止手段４０を構成したが、これに限られない。たとえば、第２折曲部３０に凸部を設け、この凸部を第１折曲部２０の外側面（凹部でも平面でもよい）に当接するように構成してもよい。
また、移動阻止手段４０を設ける位置については、第２折曲部３０に限らず、第２係合素子２１に設けてもよい。
【００５３】
上記実施形態および各変形例では、第１係合素子２１が係合解除する方向に移動するのを阻止する移動阻止手段４０が設けられていたが、移動阻止手段４０を必ずしも設けなくても、略同様な効果が期待できる。
また、上記実施形態および各変形例では、第３係合素子４１を凸部４２とし、第３被係合素子４４を凹部４５としたが、これらは逆でもよい。つまり、第３係合素子４１を凹部とし、第３被係合素子４４を凸部としてもよい。
【産業上の利用可能性】
【００５４】
本発明は、装飾品などにおいて、腕輪や首輪などの紐を保持する保持具のほかに、車体にコードなどの長尺物を平行に保持する保持具としても利用できる。
【図面の簡単な説明】
【００５５】
【図１】本発明の実施形態に係る保持具の係合前の状態を示す斜視図。
【図２】同上実施形態に係る保持具の係合後の状態を示す斜視図。
【図３】同上実施形態に係る保持具の係合前の状態を示す平面図。
【図４】同上実施形態に係る保持具の片方の折曲部を係合した状態を示す図。
【図５】図４のV-V線断面図。
【図６】同上実施形態に係る保持具の中央横断面を示す図。
【図７】同上実施形態に係る保持具の中央縦断面を示す図。
【図８】図５のVIII-VIII線断面図。
【図９】本発明の変形例１に係る保持具の係合前の状態を示す平面図。
【図１０】図９のX-X線断面図。
【図１１】図９のXI-XI線断面図。
【図１２】図９のXII-XII線断面図。
【図１３】変形例１に係る保持具の片方の折曲部を係合した状態を示す図。
【図１４】図１３のXIV-XIV線断面図。
【図１５】変形例１に係る保持具の係合後の状態を示す部分断面図。
【図１６】図１５のXVI-XVI線断面図。
【図１７】本発明の変形例２に係る保持具の係合前の状態を示す平面図。
【図１８】本発明の変形例３に係る保持具の係合前の状態を示す平面図。
【図１９】本発明の変形例４に係る保持具を示す図。
【図２０】図１９のXX-XX線断面図。
【図２１】従来の保持具を示す斜視図。
【符号の説明】
【００５６】
１，２，３，４，５…保持具、７…紐（被保持物）、１０…基部、１３，１３Ａ，１３Ｂ…開口、１５，１５Ａ，１５Ｂ…係合凹部（第１被係合素子、第２被係合素子）、１６…被係合部（基部）、２０…第１折曲部、２１…第１係合素子、２２…第１軸部、２３…第１係合片、２４…第１延出部、２５…第２延出部、２６…先端面、２７…第１の収納空間、３０…第２折曲部、３１…第２係合素子、３２…第２軸部、３３…第２係合片、３４，３５…延出部、３７…第２の収納空間、４０…移動素子手段、４１…第３係合素子、４２…凸部、４４…第３被係合素子、４５…凹部。
【図１】
2008281169.tif 000003
【図２】
2008281169.tif 000004
【図３】
2008281169.tif 000005
【図４】
2008281169.tif 000006
【図５】
2008281169.tif 000007
【図６】
2008281169.tif 000008
【図７】
2008281169.tif 000009
【図８】
2008281169.tif 000010
【図９】
2008281169.tif 000011
【図１０】
2008281169.tif 000012
【図１１】
2008281169.tif 000013
【図１２】
2008281169.tif 000014
【図１３】
2008281169.tif 000015
【図１４】
2008281169.tif 000016
【図１５】
2008281169.tif 000017
【図１６】
2008281169.tif 000018
【図１７】
2008281169.tif 000019
【図１８】
2008281169.tif 000020
【図１９】
2008281169.tif 000021
【図２０】
2008281169.tif 000022
【図２１】
2008281169.tif 000023